(57)【要約】【課題】組立て作業の作業性の向上を図る。【解決手段】非常用点灯装置１Ａは、光源ユニット４と、電源ユニット５と、光源ユニット４及び電源ユニット５を収容して造営材に取り付けられる本体２とを備える。非常用点灯装置１Ａは、電源ユニット５を支持する支持板４６と支持片２０３を備える。電源ユニット５は、蓄電池６０から供給される電力によって光源ユニット４を駆動する駆動回路５０と、駆動回路５０を収容する筐体５１とを有する。支持板４６と支持片２０３は、本体２との間で筐体５１を挟むように電源ユニット５を支持する。【選択図】        図２
2019160759.tif 000002
【特許請求の範囲】
【請求項１】
光源と、
電源ユニットと、
前記光源及び前記電源ユニットを収容して造営材に取り付けられる本体と、
前記電源ユニットを支持する一つ以上の支持部材と
を備え、
前記電源ユニットは、
非常用電源から供給される電力によって前記光源を駆動する駆動回路と、
前記駆動回路を収容する筐体と
を有し、
前記一つ以上の支持部材は、前記本体との間で前記筐体を挟むように前記電源ユニットを支持する、
非常用点灯装置。
【請求項２】
前記光源は、前記一つ以上の支持部材のうちの少なくとも一つの支持部材に固定されている、
請求項１記載の非常用点灯装置。
【請求項３】
前記非常用電源である蓄電池と、
前記筐体に収容されて常用電源から供給される電力で前記蓄電池を充電する充電回路と、
前記常用電源から前記充電回路への給電路となる電源線が電気的に接続される端子台と
を更に備え、
前記一つ以上の支持部材のうちの少なくとも一つの支持部材は、前記電源線及び前記端子台の少なくとも一方を保持する、
請求項１又は２記載の非常用点灯装置。
【請求項４】
前記光源と前記駆動回路を電気的に接続する接続部品と、
前記接続部品を保護する保護部と
を更に備え、
前記保護部は、前記一つ以上の支持部材のうちの少なくとも一つの支持部材に設けられている、
請求項１〜３のいずれか１項に記載の非常用点灯装置。
【請求項５】
前記本体は、
多角形状の底板と、
前記底板の各辺から立ち上がる複数の側板と
を有し、
前記底板は、電線が通される孔を有し、
前記光源と前記電源ユニットと前記一つ以上の支持部材は、前記底板と対向する方向から見て、前記孔と重ならないように配置されている、
請求項１〜４のいずれか１項に記載の非常用点灯装置。
【請求項６】
前記支持部材を複数備え、
前記本体は、
多角形状の底板と、
前記底板の各辺から立ち上がる複数の側板と
を有し、
複数の前記支持部材のうちの少なくとも一つの支持部材は、前記複数の側板のうちの一つの側板と一体に設けられている、
請求項１〜５のいずれか１項に記載の非常用点灯装置。
【発明の詳細な説明】
【技術分野】
【０００１】
本発明は、非常用点灯装置に関し、より詳細には、非常時に光源を点灯させる非常用点灯装置に関する。
【背景技術】
【０００２】
従来の非常用点灯装置の一例として特許文献１記載の点滅装置を例示する。特許文献１記載の点滅装置（非常用点灯装置）は、本体と、点滅部と、点滅回路とを有する。本体は箱形に形成されている。本体の前面に点滅部が配置されている。点滅部は光源としてＬＥＤを有する。点滅回路は点滅部を周期的に発光（点滅）させる。点滅装置は、本体の後端部分を埋め込むようにして壁又は天井に設置される。
【先行技術文献】
【特許文献】
【０００３】
【特許文献１】特開２０１２−１５５６１１号公報
【発明の概要】
【発明が解決しようとする課題】
【０００４】
ところで、特許文献１記載の非常用点灯装置（点滅装置）では、本体に対して点滅回路かどのように固定されているかが明確ではないが、通常、点滅回路を収容したハウジングを本体にねじ止めすることが考えられる。しかしながら、他の部品のねじ止め作業に加えて、点滅回路を収容したハウジングのねじ止め作業が追加されることにより、非常用点灯装置（点滅装置）を組み立てる組立て作業の作業性の低下が懸念される。
【０００５】
本発明の目的は、組立て作業の作業性の向上を図ることができる非常用点灯装置を提供することである。
【課題を解決するための手段】
【０００６】
本発明の一態様に係る非常用点灯装置は、光源と、電源ユニットと、前記光源及び前記電源ユニットを収容して造営材に取り付けられる本体と、前記電源ユニットを支持する一つ以上の支持部材とを備える。前記電源ユニットは、非常用電源から供給される電力によって前記光源を駆動する駆動回路と、前記駆動回路を収容する筐体とを有する。前記一つ以上の支持部材は、前記本体との間で前記筐体を挟むように前記電源ユニットを支持する。
【発明の効果】
【０００７】
本発明の非常用点灯装置は、組立て作業の作業性の向上を図ることができるという効果がある。
【図面の簡単な説明】
【０００８】
【図１】図１は、実施形態１の非常用点灯装置の正面図である。
【図２】図２は、同上の非常用点灯装置の分解斜視図である。
【図３】図３は、同上の非常用点灯装置のカバーを外した状態の正面図である。
【図４】図４は、同上の非常用点灯装置のカバーを外した状態の側面図である。
【図５】図５は、同上の非常用点灯装置における電源ユニットの回路構成図である。
【図６】図６は、実施形態２の非常用点灯装置の斜視図である。
【図７】図７は、同上の非常用点灯装置の分解斜視図である。
【図８】図８は、同上の非常用点灯装置の側面断面図である。
【図９】図９は、同上の非常用点灯装置のカバーを外した状態の正面図である。
【図１０】図１０は、同上の非常用点灯装置における要部の斜視図である。
【図１１】図１１は、実施形態３の非常用点灯装置の斜視図である。
【図１２】図１２は、同上の非常用点灯装置の分解斜視図である。
【図１３】図１３は、同上の非常用点灯装置のカバーを外した状態の正面図である。
【図１４】図１４は、同上の非常用点灯装置のカバーを外した状態の側面図である。
【図１５】図１５は、同上の非常用点灯装置の枠体を外した状態の斜視図である。
【発明を実施するための形態】
【０００９】
本発明の一態様に係る非常用点灯装置の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１０】
［実施形態１］
実施形態１の非常用点灯装置１Ａは、誘導灯器具の近傍に取り付けられ、誘導灯信号装置から信号（点滅信号）を受けて、誘導効果を高めるためにＬＥＤ光源を点滅させる、いわゆる独立形点滅装置である（日本照明工業会規格JIL5502-2008参照）。非常用点灯装置１Ａは、造営材（例えば、建物内の避難口の近くの壁）に直付けされる直付け型の点滅装置である。ただし、非常用点灯装置は独立形点滅装置に限定されず、誘導灯器具又は非常灯などの点滅装置以外の非常時用照明器具であってもよい。
【００１１】
非常用点灯装置１Ａは、図１及び図２に示すように、光源ユニット４と、電源ユニット５と、光源ユニット４及び電源ユニット５を収容して造営材に取り付けられる本体２とを備える。非常用点灯装置１Ａは、電源ユニット５を支持する一つ以上の支持部材を備える。また、非常用点灯装置１Ａは、本体２に結合されるカバー３と、非常用電源に相当する蓄電池ブロック６と、スイッチブロック７とを更に備える。なお、以下の説明においては、特に断りのない限り、図２に矢印で示す向きにおいて、非常用点灯装置１Ａの上下、左右及び前後の各方向を規定する。
【００１２】
本体２は、長方形状の底板２０と、底板２０の四つの辺の各々から立ち上がる四つの側板２１とを有する（図２参照）。ただし、以下の説明においては、底板２０の下側の辺から立ち上がる側板２１を下側板２１Ａ、底板２０の上側の辺から立ち上がる側板２１を上側板２１Ｂと呼ぶ場合がある。同様に、底板２０の右側の辺から立ち上がる側板２１を右側板２１Ｃ、底板２０の左側の辺から立ち上がる側板２１を左側板２１Ｄと呼ぶ場合がある。底板２０と四つの側板２１は、亜鉛鋼板などの金属板が曲げ加工されることによって一体に形成されている。
【００１３】
また、本体２は、上側板２１Ｂの前端から底板２０とほぼ並行するように立ち上がった支持片２０３を有する（図２〜図４参照）。支持片２０３は、長尺の多角形状（図示例では六角形状）に形成されている。なお、支持片２０３は、金属板が曲げ加工されることによって上側板２１Ｂと一体に形成されている。
【００１４】
底板２０は、常用電源（例えば、商用の電力系統）から給電されるための電線（電源線）が通される孔（第１電線孔２０１）と、点滅信号が伝送される電線（信号線）が通される孔（第２電線孔２０２）とを有している（図２及び図３参照）。ただし、第２電線孔２０２には、点滅信号用の信号線とともに、煙感知器から煙感知信号が伝送される電線（信号線）が通される場合もある。
【００１５】
第２電線孔２０２は、正方形の四つの角が丸められた角丸四角形状に形成されて底板２０を厚み方向（前後方向）に貫通している。第２電線孔２０２は、底板２０のほぼ中央に設けられている。第１電線孔２０１は、長円形に形成されて底板２０を厚み方向（前後方向）に貫通している。第１電線孔２０１は、底板２０のほぼ中央における第２電線孔２０２の左隣に設けられている（図３参照）。
【００１６】
さらに、底板２０における第２電線孔２０２の右隣に、だるま孔からなる第１取付孔２０４が設けられ、底板２０における第１電線孔２０１の左隣に、長孔からなる一対の第２取付孔２０５が設けられている（図３参照）。すなわち、本体２は、底板２０の第１取付孔２０４及び少なくとも一方の第２取付孔２０５に１本ずつ通される複数本の取付ねじ（不図示）によって造営材にねじ止めされる。
【００１７】
底板２０の前面における第１電線孔２０１の下方に第１端子台１１が取り付けられている。第１端子台１１は、電源用の端子台である。すなわち、第１端子台１１には、第１電線孔２０１に通される電源線（不図示）が電気的に接続される。底板２０の前面における第１取付孔２０４の下方に第２端子台１２が取り付けられている。第２端子台１２は、点滅信号用の端子台である。すなわち、第２端子台１２には、第２電線孔２０２に通される点滅信号用の信号線（不図示）が電気的に接続される。さらに、底板２０の前面における第２端子台１２の下方に第３端子台１３が取り付けられている。第３端子台１３は、煙感知信号用の端子台である。すなわち、第３端子台１３には、第２電線孔２０２に通される煙感知信号用の信号線（不図示）が電気的に接続される。
【００１８】
光源ユニット４は、発光ダイオード（Light Emitting Diode）４０と、ＬＥＤ４０を支持するホルダ４１と、コネクタ４２と、レンズ４３と、取付板４４と、２本の取付ねじ４５とを有している（図２及び図５参照）。ＬＥＤ４０は、例えば、ＣＯＢ（Chip on Board）型の照明用白色ＬＥＤである。
【００１９】
ホルダ４１は、ポリカーボネート樹脂などの合成樹脂材料によって円板状に形成されている。ホルダ４１の中央部にＬＥＤ４０が保持されている。コネクタ４２はホルダ４１と一体に形成されている。コネクタ４２は、角筒状に形成されて一対の端子板（不図示）を内部に収容して保持している。一対の端子板のうちの一方の端子板はＬＥＤ４０のアノードと電気的に接続されている。また、一対の端子板のうちの他方の端子板はＬＥＤ４０のカソードと電気的に接続されている。
【００２０】
レンズ４３は、アクリル樹脂によってドーム状に形成されている。ただし、レンズ４３は、ケイ酸塩ガラスや石英ガラスのような不燃材によって形成されてもかまわない。レンズ４３は、一対の固定片４３０を有している。各固定片４３０には円筒形の孔４３１が厚み方向（前後方向）に貫通している（図２参照）。
【００２１】
取付板４４は、平板状の固定部４４０と、固定部４４０の左端における下端から後向きに突き出すねじ止め部４４１と、固定部４４０の左端における上端から後向きに突き出す引掛部４４２とを有している（図２及び図３参照）。取付板４４は、さらに、固定部４４０の左端における前後方向の中央から下向きに突出する突片４４３を有している。固定部４４０とねじ止め部４４１と引掛部４４２と突片４４３とは、例えば、アルミ板によって一体に形成されている。
【００２２】
固定部４４０の左上隅及び右下隅にねじ孔４４４がそれぞれ一つずつ設けられている（図２参照）。固定部４４０にはホルダ４１とレンズ４３が固定される。レンズ４３の各固定片４３０の孔４３１及びホルダ４１に設けられている貫通孔（不図示）に１本ずつ取付ねじ４５が通される。そして、各取付ねじ４５が取付板４４の固定部４４０に設けられている２つのねじ孔４４４のうちの対応するねじ孔４４４にねじ込まれる。その結果、レンズ４３とホルダ４１が２本の取付ねじ４５によって取付板４４の固定部４４０にねじ止めされる。
【００２３】
ねじ止め部４４１は、かぎ形に形成されている（図２参照）。ねじ止め部４４１の先端には円形の孔４４５が貫通している。引掛部４４２もかぎ形に形成されている。突片４４３は、長方形状に形成されている。突片４４３は、前後方向（コネクタ４２の長手方向）に沿って、固定部４４０に固定されたホルダ４１のコネクタ４２に沿うように配置されている（図４参照）。
【００２４】
光源ユニット４は、支持板４６に取り付けられる。光源ユニット４が取り付けられた支持板４６が本体２（の底板２０）に取り付けられる。つまり、光源ユニット４は、本体２に直接取り付けられるのではなく、支持板４６を介して本体２に間接的に取り付けられる。
【００２５】
支持板４６は、取付部４６０と、一対の脚部４６１と、一対の対向部４６３と、保護部４６４とを有している。取付部４６０は、おおむね長方形状に形成されている。ただし、取付部４６０の上側の辺は、取付部４６０の下側の辺よりも短い。一対の脚部４６１は、Ｌ字形状に形成されている。一方の脚部４６１は、取付部４６０の左側の辺から後方へ突き出ている。他方の脚部４６１は、取付部４６０の右側の辺から後方へ突き出ている。各脚部４６１の後端部分に、固定ねじ４６２が通される孔（不図示）が一つずつ設けられている。支持板４６は、一対の脚部４６１の各々の孔に通された固定ねじ４６２が底板２０に設けられているねじ孔（不図示）にねじ込まれることで底板２０に固定される（図２及び図３参照）。
【００２６】
一対の対向部４６３は、台形状に形成されている（図４参照）。一方の対向部は、左側の脚部４６１の上側において取付部４６０の左側の辺から後方へ突き出ている。他方の対向部４６３は、右側の脚部４６１の上側において取付部４６０の右側の辺から後方へ突き出ている。保護部４６４は、長尺の六角形状に形成されている。保護部４６４は、取付部４６０の下側の辺から後方へ突き出ている。ただし、保護部４６４の前後方向の幅寸法は、一対の脚部４６１の前後方向の長さ寸法のおおよそ半分程度である（図２参照）。
【００２７】
支持板４６は、ねじ孔４６５と、引掛孔４６６と、開口部４６７とを有している。開口部４６７は、取付部４６０の中央下部において、取付部４６０をその厚み方向に貫通する角孔である。ねじ孔４６５は、取付部４６０における開口部４６７の左下に設けられている。引掛孔４６６は、取付部４６０の左右方向の中央上部において、取付部４６０をその厚み方向に貫通する角孔である（図２参照）。
【００２８】
支持板４６の取付部４６０に取付板４４が取り付けられる。具体的には、取付板４４の引掛部４４２の先端が、支持板４６の引掛孔４６６に前方から差し込まれ、取付部４６０の後面における引掛孔４６６の縁に引っ掛けられる（図３及び図４参照）。さらに、ねじ止め部４４１の孔４４５に前方から差し込まれたねじ（不図示）が支持板４６のねじ孔４６５にねじ込まれることにより、取付板４４が支持板４６の取付部４６０の前面に取り付けられる（図３及び図４参照）。つまり、光源ユニット４は、取付板４４のねじ止め部４４１及び引掛部４４２の前後方向の高さ分だけ支持板４６の取付部４６０から離れた状態で支持板４６に支持される（図４参照）。なお、光源ユニット４のコネクタ４２は、支持板４６の取付部４６０を貫通する開口部４６７を通して取付部４６０の後面側に配置される（図２〜図４参照）。
【００２９】
蓄電池ブロック６は、複数本の乾電池型の電池セルが熱収縮チューブに包まれて構成された蓄電池６０（図５参照）と、蓄電池６０を保持する電池ホルダ６１と、蓄電池６０と電気的に接続されている電線６２とを有している（図２参照）。蓄電池ブロック６の電池ホルダ６１は、本体２の底板２０の前面下部において、複数のリベット（不図示）によって底板２０に固定される（図３参照）。
【００３０】
スイッチブロック７は、点検スイッチ（不図示）と充電モニタ（不図示）を有する。また、スイッチブロック７は、点検スイッチ及び充電モニタを収容するケース７１と、ケース７１の外から点検スイッチを操作するための操作ボタン７０とを有する（図２参照）。
【００３１】
ケース７１は、合成樹脂材料によって直方体形状の箱形に形成されている。ケース７１の前面には、操作ボタン７０がはめ込まれる操作孔７１０と、操作孔７１０よりも径の小さい表示孔７１１とが設けられている。操作ボタン７０は円柱状に形成されており、前後方向に移動可能な状態で操作孔７１０にはめ込まれている。ケース７１内において操作孔７１０と前後方向に対向する位置に、押釦スイッチからなる点検スイッチが配置されている。したがって、ケース７１の外から押された操作ボタン７０がケース７１内に移動し、操作ボタン７０の後端で点検スイッチが押操作される。ケース７１内において表示孔７１１と前後方向に対向する位置に表示用のＬＥＤからなる充電モニタが配置されている。すなわち、充電モニタの発する光（例えば、緑色の光）が表示孔７１１を通してケース７１の外に放射される。
【００３２】
ケース７１は、台座７２を介して本体２（底板２０）に取り付けられる。台座７２は、長方形状の固定板７２０と、固定板７２０の右辺から後方へ突き出た第１突壁７２１と、固定板７２０の左辺から後方へ突き出た第２突壁７２２とを有している。ケース７１は、固定板７２０の前面にねじ止めされる。ただし、固定板７２０には貫通孔（不図示）が設けられている。この貫通孔には、点検スイッチ及び充電モニタを電源ユニット５と電気的に接続する複数（例えば、３本）の電線７３が通される（図３参照）。台座７２は、第１突壁７２１が底板２０にねじ止めされ、第２突壁７２２が右側板２１Ｄに固定されることで本体２の前面における左下隅に取り付けられる（図３参照）。
【００３３】
電源ユニット５は、蓄電池６０から供給される電力によって光源ユニット４を駆動する駆動回路５０と、駆動回路５０を収容する筐体５１とを有する。電源ユニット５は、外部電源（例えば、商用の電力系統１４）から供給される交流電力を直流電力に変換して蓄電池６０を充電する充電回路５６を更に有する。
【００３４】
電源ユニット５の回路構成の一例を図５に示す。充電回路５６は、商用の電力系統１４から供給される交流電力を直流電力に電力変換するＡＣ／ＤＣコンバータを有している。充電回路５６は、ＡＣ／ＤＣコンバータから出力する直流電力を逆流阻止用のダイオードＤ２を介して蓄電池ブロック６蓄電池６０に供給して蓄電池６０を充電する。
【００３５】
駆動回路５０は、蓄電池ブロック６の蓄電池６０から入力する直流入力電圧を昇圧する昇圧回路５００を備えている。さらに、駆動回路５０は、昇圧回路５００から光源ユニット４への給電路を開閉するスイッチング素子Ｑ１と、スイッチング素子Ｑ１をオン・オフさせる制御回路５０１とを備えている。スイッチング素子Ｑ１と光源ユニット４のＬＥＤ４０が昇圧回路５００の出力端間に電気的に直列接続される。
【００３６】
昇圧回路５００は、スイッチング素子Ｑ２、チョークコイルＬ１、ダイオードＤ１、入力コンデンサＣ２、出力コンデンサＣ０、ドライブ回路５０２などで構成されるブーストコンバータ（昇圧チョッパ回路）である。スイッチング素子Ｑ２は、例えば、エンハンスメント形のＮチャネルＭＯＳＦＥＴ（metal-oxide-semiconductor field-effect transistor）からなる。ドライブ回路５０２は、スイッチング素子Ｑ２のゲート・ソース間電圧をしきい値電圧以上とすることでスイッチング素子Ｑ２をオンし、ゲート・ソース間電圧をしきい値電圧未満とすることでスイッチング素子Ｑ２をオフするように構成されている。
【００３７】
スイッチング素子Ｑ１は、例えば、エンハンスメント形のＮチャネルＭＯＳＦＥＴからなる。スイッチング素子Ｑ１は、制御回路５０１によってゲート・ソース間電圧が制御されることにより、オン・オフされる。
【００３８】
制御回路５０１は、例えば、マイクロコントローラで構成されている。制御回路５０１は、信号線（不図示）を介して誘導灯信号装置から点滅信号を受信したとき、ドライブ回路５０２に制御信号Ｓ１を出力する。なお、制御回路５０１は、信号線（不図示）を介して煙感知器から煙感知信号を受信したときにも、ドライブ回路５０２に制御信号Ｓ１を出力する。ドライブ回路５０２は、制御信号Ｓ１を受け取ると、スイッチング素子Ｑ２をスイッチングして昇圧回路５００に昇圧動作を行わせる。制御回路５０１は、制御信号Ｓ１を出力した後、スイッチング素子Ｑ１をオンして光源ユニット４を点灯させる。ただし、制御回路５０１は、誘導効果を高めるために光源ユニット４を間欠駆動する。例えば、制御回路５０１は、約５００ｍｓごとに約５０ｍｓの期間だけスイッチング素子Ｑ１をオンして光源ユニット４を点滅させる。
【００３９】
さらに、制御回路５０１は、スイッチブロック７の点検スイッチの状態を監視し、点検スイッチがオンされている間、充電回路５６を強制的に停止させるとともに駆動回路５０を制御して蓄電池ブロック６から供給される電力で光源ユニット４を点灯させる。つまり、点検スイッチが操作されることによって、駆動回路５０の点検動作が行われる。
【００４０】
スイッチブロック７の充電モニタは、充電回路５６によって蓄電池６０が充電されている間だけ点灯し、充電回路５６によって蓄電池６０が充電されていないときに消灯する。つまり、充電モニタは、充電中に点灯することによって蓄電池ブロック６の蓄電池６０が充電されていることを表示する。
【００４１】
電源ユニット５の筐体５１は、合成樹脂材料によって箱状に形成されている（図２及び図３参照）。筐体５１は、上述した駆動回路５０及び充電回路５６を構成するプリント回路板（不図示）を収容している。筐体５１の一つの角部（図３における右下の角部）から２本の電線（電源線５２）が筐体５１の外に引き出されている。これら２本の電源線５２は、第１端子台１１の２次側の端子と電気的に接続される（図３参照）。
【００４２】
筐体５１の長手方向の一方の端部（図３における右側の端部）には、プリント回路板に実装されている信号用端子台５０３が露出している。信号用端子台５０３は、多極（図示例では１０極）のねじなし端子台である。信号用端子台５０３の一方の端（図３では上端）の２極の端子と、第２端子台１２の２次側の２極の端子とが２本の信号線５３によって電気的に接続される。また、信号用端子台５０３の他方の端（図３では下端）の２極の端子と、第３端子台１３の２次側の２極の端子とが２本の信号線５４によって電気的に接続される。なお、電源線５２及び信号線５３、５４は、支持板４６の取付部４６０に取り付けられる電線保持具４７に保持される（図３参照）。
【００４３】
筐体５１の長手方向の他方の端部（図３における左側の端部）には、プリント回路板に実装されている３つの端子部５０４〜５０６が露出している（図３参照）。これら３つの端子部５０４〜５０６は、筐体５１の短手方向（図３における上下方向）に沿って一列に並んでいる。一番下の端子部５０４は２極の端子を有しており、蓄電池ブロック６の２本の電線６２とそれぞれ１極ずつ電気的に接続される。中央の端子部５０５は３極の端子を有しており、スイッチブロック７の３本の電線７３とそれぞれ１極ずつ電気的に接続される。一番上の端子部５０６は２極の端子を有しており、２本の電線（出力線５５）とそれぞれ１極ずつ電気的に接続される。なお、これら２本の出力線５５は、支持板４６の取付部４６０と底板２０に挟まれた空間において、取付部４６０の開口部４６７に通された光源ユニット４のコネクタ４２と電気的に接続される。
【００４４】
筐体５１の上端部が底板２０と上側板２１Ｂと支持片２０３に囲まれた空間にはめ込まれ、筐体５１の下端部が底板２０と支持板４６の一対の対向部４６３との間にはめ込まれる（図２及び図３参照）。すなわち、実施形態１の非常用点灯装置１Ａは、一つ以上の支持部材（支持板４６と支持片２０３）が本体２との間で電源ユニット５の筐体５１を挟むように電源ユニット５を支持する。そのため、電源ユニット５の筐体５１が本体２にねじ止めされる場合と比較して、組立て作業の作業性の向上を図ることができる。
【００４５】
カバー３は、一面（後面）が開放された箱状に形成されている。カバー３は、長方形状の前壁３０と、四つの側壁３１とを有する（図１及び図２参照）。四つの側壁３１は、前壁３０の四つの辺（上辺、下辺、左辺及び右辺）から後方に突き出ている。ただし、左側の側壁３１と右側の側壁３１の各々の前端部分に傾斜部３１０が設けられている。これらの傾斜部３１０は、前壁３０から遠ざかるに連れて後方に向かって傾斜している（図２参照）。
【００４６】
前壁３０は、第１孔３０１、第２孔３０２及び第３孔３０３を有している（図１及び図２参照）。第１孔３０１は、前壁３０の上下方向の中央から僅かに上方の位置に開口した丸孔である。第１孔３０１の直径は、光源ユニット４のレンズ４３の直径よりも僅かに小さい。第２孔３０２は、前壁３０の左下方の位置に開口した丸孔である。第２孔３０２の直径は、スイッチブロック７の操作ボタン７０の直径よりも僅かに大きい。第３孔３０３は、前壁３０の左下方における第２孔３０２の上の位置に開口した丸孔である。第３孔３０３の直径は、第２孔３０２の直径よりも十分に小さい。
【００４７】
下側の側壁３１には円形の孔３１１が貫通している（図２参照）。この孔３１１の直径は、固定ねじ３１２のねじ部の径よりも大きく、かつ固定ねじ３１２の頭部の径よりも小さい。
【００４８】
カバー３は、四つの側壁３１の内側に本体２を収めるようにして本体２の前方にかぶせられる。そして、下側の側壁３１の孔３１１に通される固定ねじ３１２が本体２の下側板２１Ａに設けられている雌ねじ部２１０（図２及び図３参照）にねじ込まれることにより、本体２とカバー３が結合される（図１参照）。本体２と結合されたカバー３の第１孔３０１から光源ユニット４のレンズ４３がカバー３の外に露出する。したがって、光源ユニット４の光は、カバー３の第１孔３０１を通してカバー３の外に出射される。また、第２孔３０２からはスイッチブロック７の操作ボタン７０が露出する。ゆえに、操作ボタン７０は、第２孔３０２を通してカバー３の外から押操作される。さらに、スイッチブロック７の充電モニタの発する光が第３孔３０３を通してカバー３の外に出射される。
【００４９】
実施形態１の非常用点灯装置１Ａは、上述のように電源ユニット５を支持する一つ以上の支持部材（支持板４６と支持片２０３）を備えている。一つ以上の支持部材（支持板４６と支持片２０３）は、本体２（底板２０及び上側板２１Ｂ）との間で筐体５１を挟むように電源ユニット５を支持している。このため、実施形態１の非常用点灯装置１Ａは、ねじなどの部品によって筐体５１が本体２に直接取り付けられる場合に比べて、組立て作業（電源ユニット５の筐体５１を本体２に支持させる作業）の作業性の向上を図ることができる。しかも、実施形態１の非常用点灯装置１Ａでは、電源ユニット５の筐体５１にねじなどの取付用の部品を通す孔などが不要であるから、孔などが設けられることに伴う筐体５１の大型化なども抑制することができる。
【００５０】
また、実施形態１の非常用点灯装置１Ａでは、複数の支持部材のうちの一つの支持部材（支持片２０３）が本体２の一つの側板（上側板２１Ｂ）と一体に設けられている。したがって、少なくとも一つの支持部材が本体２と別体に設けられている場合に比べて、実施形態１の非常用点灯装置１Ａは、部品点数削減による組立て作業の作業性の更なる向上を図ることができる。
【００５１】
さらに、実施形態１の非常用点灯装置１Ａでは、筐体５１を支持する支持部材の一つである支持板４６（の取付部４６０）に光源ユニット４が固定されている。つまり、支持部材の一つである支持板４６は、筐体５１を支持する役割だけでなく、光源ユニット４を本体２に固定するための役割も担っている。したがって、実施形態１の非常用点灯装置１Ａは、光源ユニット４を本体２に固定するための部材を支持部材（支持板４６）とは別に備える必要がないので、部品点数の削減による組立て作業の作業性の更なる向上を図ることができる。
【００５２】
また、実施形態１の非常用点灯装置１Ａでは、光源ユニット４、電源ユニット５及び支持部材（支持板４６と支持片２０３）は、底板２０と対向する方向（前後方向）から見て、第１電線孔２０１及び第２電線孔２０２と重ならないように配置される（図３参照）。つまり、本体２の第１電線孔２０１から外部の電源線が引き込まれて第１端子台１１の１次側の端子に電気的に接続される際に光源ユニット４、電源ユニット５及び支持部材（支持板４６と支持片２０３）が邪魔になりにくい。同様に、本体２の第２電線孔２０２から点滅信号用の信号線が引き込まれて第２端子台１２の２次側の端子に電気的に接続される際に光源ユニット４、電源ユニット５及び支持部材（支持板４６と支持片２０３）が邪魔になりにくい。さらに、本体２の第２電線孔２０２から煙感知信号用の信号線が引き込まれて第３端子台１３の２次側の端子に電気的に接続される際にも光源ユニット４、電源ユニット５及び支持部材（支持板４６と支持片２０３）が邪魔になりにくい。したがって、実施形態１の非常用点灯装置１Ａは、本体２の孔（第１電線孔２０１、第２電線孔２０２）を通して外部から電線が引き込まれる際の作業性の向上を図ることができる。
【００５３】
さらに、実施形態１の非常用点灯装置１Ａでは、電源線５２が電線保持具４７を介して支持板４６に保持されている。そのため、実施形態１の非常用点灯装置１Ａは、電源線５２を支持板４６に保持させることにより、組立て作業の作業性の更なる向上を図ることができる。
【００５４】
ところで、例えば、第１電線孔２０１から引き込まれた電源線が取付部４６０と底板２０に挟まれた空間に入り込んでコネクタ４２に当たった場合、電源線からコネクタ４２に対して過大な力が加わるおそれがある。あるいは、作業者が電源線や信号線を第１端子台１１、第２端子台１２、第３端子台１３と電気的に接続する際に、作業者の手指がコネクタ４２に当たってコネクタ４２に過大な力が加わるおそれもある。そのため、支持板４６には、光源ユニット４のコネクタ４２を保護する保護部４６４が設けられている。保護部４６４は、本体２の前方から見て、光源ユニット４と第１電線孔２０１及び第２電線孔２０２との間に配置されている。つまり、保護部４６４は、第１電線孔２０１及び第２電線孔２０２を通して外部から引き込まれる電線が、支持板４６の取付部４６０と底板２０に挟まれた空間に入り込まないようにすることでコネクタ４２を保護することができる。
【００５５】
［実施形態２］
実施形態２の非常用点灯装置１Ｂは、天井に設けられる埋込孔に埋め込まれるようにして天井に設置される埋込型の点滅装置である。ただし、実施形態２の非常用点灯装置１Ｂの基本的な構成は、実施形態１の非常用点灯装置１Ａの構成とほぼ共通である。したがって、以下の説明においては、形状や寸法が実施形態１の非常用点灯装置１Ａの構成要素と多少異なっていても、実施形態１の非常用点灯装置１Ａの構成要素と同じ機能を有する構成要素には同一の符号を付している。
【００５６】
非常用点灯装置１Ｂは、図６〜図９に示すように、光源ユニット４と、電源ユニット５と、光源ユニット４及び電源ユニット５を収容して造営材（天井）に埋め込まれる本体２とを備える。非常用点灯装置１Ｂは、電源ユニット５を支持する支持部材２３を備える。また、非常用点灯装置１Ｂは、本体２に結合されるカバー３と、蓄電池ブロック６と、スイッチブロック７とを更に備える。なお、以下の説明においては、特に断りのない限り、図７に矢印で示す向きにおいて、非常用点灯装置１Ｂの上下、左右及び前後の各方向を規定する。
【００５７】
本体２は、長方形状の底板２０と、底板２０の四つの辺の各々から立ち上がる四つの側板２１とを有して下面が開放された箱状に形成されている。ただし、以下の説明においては、底板２０の前側の辺から立ち上がる側板２１を前側板２１Ｅ、底板２０の後側の辺から立ち上がる側板２１を後側板２１Ｆと呼ぶ場合がある。同様に、底板２０の左側の辺から立ち上がる側板２１を左側板２１Ｃ、底板２０の右側の辺から立ち上がる側板２１を右側板２１Ｄと呼ぶ場合がある。底板２０と四つの側板２１は、亜鉛鋼板などの金属板が曲げ加工されることによって一体に形成されている。
【００５８】
底板２０は、底板２０の長手方向（左右方向）の両端に、円形の第１電線孔２０１及び第２電線孔２０２を各々一つずつ有している（図９参照）。ただし、第１電線孔２０１に信号線が通されてもよいし、第２電線孔２０２に電源線が通されてもよい。
【００５９】
底板２０の長手方向（左右方向）の両端に取付金具２２が一つずつ取り付けられている。取付金具２２は、長方形状の主片２２０と、主片２２０の長手方向の両端から斜め上方に突き出した一対の脚片２２１と、一対の脚片２２１のそれぞれの先端（上端）から外向きに突き出した一対の固定片２２２とを有している（図９参照）。主片２２０の中央には円形の孔２２３が貫通している。取付金具２２の一対の固定片２２２は、例えば、リベットによって底板２０に固定される。なお、底板２０の長手方向の両端において、一対の取付金具２２のそれぞれの主片２２０の孔２２３と上下方向に対向する位置に、円形の孔２０６が一つずつ貫通している（図７及び図９参照）。すなわち、建物の天井躯体に埋め込まれているつりボルトが底板２０の孔２０６及び取付金具２２の主片２２０の孔２２３に通され、主片２２０の下に突き出したつりボルトにナットが締め付けられることで本体２がつりボルトに取り付けられる。
【００６０】
非常用点灯装置１Ｂは、支持部材２３を備えている。支持部材２３は、取付部２３０、第１側部２３１、第２側部２３２、第１脚部２３３及び第２脚部２３４を有している（図８及び図１０参照）。ただし、 取付部２３０、第１側部２３１、第２側部２３２、第１脚部２３３及び第２脚部２３４は、金属板が加工されることで一体に形成されることが好ましい。
【００６１】
取付部２３０は、おおむね長方形状に形成されている。ただし、取付部２３０の前側の辺は、取付部２３０の後側の辺よりも短い。第１側部２３１は、略長方形状に形成され、取付部２３０の後側の辺から上向きに突き出ている（図８及び図１０参照）。第１側部２３１は、取付部２３０と平行する第１支持片２３５を有している（図１０参照）。第１支持片２３５は、第１側部２３１から切り起こされている。
【００６２】
第１脚部２３３は、Ｌ字形状に形成されて取付部２３０の右辺の後端から上向きに突き出ている（図１０参照）。第２脚部２３４は、Ｌ字形状に形成されて取付部２３０の左辺から上向きに突き出ている（図１０参照）。
【００６３】
取付部２３０には、光源ユニット４、第１端子台１１、第２端子台１２、第３端子台１３、蓄電池ブロック６及びスイッチブロック７が取り付けられる（図７〜図１０参照）。第１端子台１１と第２端子台１２は、取付部２３０の下面における左端に前後方向に並べて取り付けられる（図９参照）。第３端子台１３とスイッチブロック７は、固定板２３６を介して取付部２３０の下面における右端に取り付けられる（図９参照）。蓄電池ブロック６は、取付部２３０の下面における左端の前端部分に取り付けられる。
【００６４】
光源ユニット４は、取付板４４を介して取付部２３０の下面における中央に取り付けられる（図９及び図１０参照）。取付板４４の固定部４４０にホルダ４１及びレンズ４３がねじ止めされることによって光源ユニット４が取付板４４に取り付けられる。また、取付板４４は、一対のねじ止め部４４１を有している。そして、一対のねじ止め部４４１が取付部２３０にねじ止めされることで取付板４４が取付部２３０の下面に取り付けられる。なお、取付部２３０の中央には、直径が異なる二つの孔２３７、２３８が貫通している（図７参照）。取付部２３０の下方から見て、直径が小さい方の孔２３８と、光源ユニット４のコネクタ４２とが重なっている（図１０参照）。
【００６５】
支持部材２３は、第１脚部２３３及び第２脚部２３４の先端（上端）が底板２０にねじ（あるいはリベット）で締結されることによって本体２に取り付けられる。そして、支持部材２３は、本体２の底板２０との間で電源ユニット５の筐体５１を支持する（図７〜図９参照）。より詳細には、支持部材２３は、支持部材２３の第２側部２３２、及び支持部材２３の第１支持片２３５を筐体５１の下面に当てることで筐体５１を支持している。すなわち、実施形態２の非常用点灯装置１Ｂは、一つ以上の支持部材２３が本体２との間で電源ユニット５の筐体５１を挟むように電源ユニット５を支持する。そのため、電源ユニット５の筐体５１が本体２にねじ止めされる場合と比較して、組立て作業の作業性の向上を図ることができる。
【００６６】
カバー３は、長方形の平板状に形成されている。カバー３の中央に第１孔３０１が設けられ、カバー３の中央における第１孔３０１の右隣に第２孔３０２と第３孔３０３が設けられている。カバー３の上面における長手方向の両端に取付ばね３２が一つずつ設けられている（図７及び図８参照）。カバー３は、これらの取付ばね３２が左側板２１Ｃ及び右側板２１Ｄに一つずつ設けられている受け部２１１に引っ掛けられることによって着脱可能に本体２と結合される（図８参照）。
【００６７】
実施形態２の非常用点灯装置１Ｂは、上述のように電源ユニット５を支持する支持部材２３を備えている。支持部材２３は、本体２（底板２０）との間で筐体５１を挟むように電源ユニット５を支持している。このため、実施形態２の非常用点灯装置１Ｂは、ねじなどの部品によって筐体５１が本体２に直接取り付けられる場合に比べて、組立て作業（電源ユニット５の筐体５１を本体２に支持させる作業）の作業性の向上を図ることができる。しかも、実施形態２の非常用点灯装置１Ｂでは、電源ユニット５の筐体５１にねじなどの取付用の部品を通す孔などが不要であるから、孔などが設けられることに伴う筐体５１の大型化なども抑制することができる。
【００６８】
また、実施形態２の非常用点灯装置１Ｂでは、光源ユニット４だけでなく、第１端子台１１、第２端子台１２、第３端子台１３及びスイッチブロック７が支持部材２３に固定されている。つまり、実施形態２の非常用点灯装置１Ｂでは、組立て作業において、電源ユニット５を除く主要な部品（光源ユニット４、第１端子台１１、第２端子台１２、第３端子台１３及びスイッチブロック７）が本体２の外で支持部材２３に取り付けられる。その結果、実施形態２の非常用点灯装置１Ｂは、光源ユニット４、第１端子台１１、第２端子台１２、第３端子台１３及びスイッチブロック７が本体２内の狭い空間で本体２に取り付けられる場合と比べて、組立て作業の作業性の更なる向上を図ることができる。
【００６９】
［実施形態３］
実施形態３の非常用点灯装置１Ｃは、建物の屋側の壁に直付けされる防水型の点滅装置である。ただし、実施形態３の非常用点灯装置１Ｃの基本的な構成は、実施形態１の非常用点灯装置１Ａの構成とほぼ共通である。したがって、以下の説明においては、形状や寸法が実施形態１の非常用点灯装置１Ａの構成要素と多少異なっていても、実施形態１の非常用点灯装置１Ａの構成要素と同じ機能を有する構成要素には同一の符号を付している。
【００７０】
非常用点灯装置１Ｃは、図１１〜図１５に示すように、光源ユニット４と、電源ユニット５と、光源ユニット４及び電源ユニット５を収容して造営材（屋側の壁）に取り付けられる本体２とを備える。非常用点灯装置１Ｃは、電源ユニット５を支持する一つ以上の支持部材を備える。また、非常用点灯装置１Ｃは、本体２に結合されるカバー３と、蓄電池ブロック６と、スイッチブロック７と、枠体８とを更に備える。なお、以下の説明においては、特に断りのない限り、図１２に矢印で示す向きにおいて、非常用点灯装置１Ｃの上下、左右及び前後の各方向を規定する。
【００７１】
本体２は、底板２０と、底板２０の左辺及び右辺の各々から立ち上がる二つの側板２１と、二つの側板２１の各々の前端から底板２０と平行するように外向きに突き出た二つのカバー取付片２４とを有する（図１２及び図１３参照）。底板２０は、底板２０の中央に第１電線孔２０１及び第２電線孔２０２を有している。また、底板２０は、第１電線孔２０１及び第２電線孔２０２の上方に第１取付孔２０４を有し、第１電線孔２０１及び第２電線孔２０２の下方に二つの第２取付孔２０５を有している。すなわち、本体２は、底板２０の第１取付孔２０４及び少なくとも一方の第２取付孔２０５に１本ずつ通される複数本の取付ねじ（不図示）によって造営材（屋側の壁）にねじ止めされる。
【００７２】
底板２０の前面に第１シール部材２６が取り付けられる（図１３参照）。第１シール部材２６は、ウレタン樹脂などの合成樹脂によって長方形の枠状に形成されている。第１シール部材２６は、底板２０の前面における最外周に配置されている。
【００７３】
底板２０の前面における第１取付孔２０４の右隣に第２端子台１２が取り付けられている。また、底板２０の前面における第２端子台１２の下方に第３端子台１３が取り付けられている。さらに、底板２０の前面における第２取付孔２０５の下方には、取付板４４を介して光源ユニット４が取り付けられた支持板４６、スイッチブロック７が固定された台座７２及び蓄電池ブロック６がそれぞれねじあるいはリベットによって取り付けられている。
【００７４】
底板２０の前面における上部に支持部２０７が設けられている。支持部２０７は、底板２０の前面から前方へ突き出た縦片２０７０と、縦片２０７０の前端から底板２０と平行するように下向きに突き出した横片２０７１とを有している。
【００７５】
さらに、底板２０の前面における第１電線孔２０１の左隣に支持部材２５が取り付けられている。支持部材２５は、長方形状の取付部２５０と、取付部２５０の右辺及び下辺からそれぞれ後方へ突き出た一対の固定脚２５１と、取付部２５０の上辺から上向きに突き出た押さえ片２５２とを有している（図１２及び図１３参照）。なお、取付部２５０、一対の固定脚２５１及び押さえ片２５２は、金属板が加工されることによって一体に形成されている。
【００７６】
支持部材２５は、一対の固定脚２５１のそれぞれが底板２０にねじ止めされることによって本体２に固定される（図１３参照）。取付部２５０の前面に第１端子台１１が取り付けられる。押さえ片２５２の上端部分が逆Ｌ字形状に形成されている（図１２参照）。また、押さえ片２５２の長手方向（上下方向）の中央に電線保持具４７が取り付けられている。電線保持具４７は、電源ユニット５の筐体５１から引き出された電源線５２を保持する。
【００７７】
支持部材２５は、支持部２０７とともに電源ユニット５の筐体５１を支持する。具体的には、筐体５１の長手方向に沿った一方の端部（上端部）が、底板２０と、支持部２０７の横片２０７１との間に差し込まれている。さらに、筐体５１の長手方向に沿った他方の端部（下端部）が、底板２０と、支持部材２５の押さえ片２５２の上端部分との間に差し込まれている（図１２〜図１４参照）。つまり、筐体５１は、支持部２０７及び押さえ片２５２と底板２０に挟まれるようにして本体２に取り付けられる。
【００７８】
左側のカバー取付片２４は、左側の側板２１の前端から底板２０と平行するように外向き（左向き）に突き出ている。右側のカバー取付片２４は、右側の側板２１の前端から底板２０と平行するように外向き（右向き）に突き出ている。一対のカバー取付片２４の各々は、一対のねじ孔２４０と、四つの突部２４１とを有している。
【００７９】
一対のねじ孔２４０は、カバー取付片２４の長手方向（上下方向）の中央と、カバー取付片２４の長手方向の両端との中間にそれぞれ一つずつ設けられている。四つの突部２４１のうちの二つの突部２４１は、上側のねじ孔２４０を挟んで上下に並ぶように設けられている。四つの突部２４１のうちの残り二つの突部２４１は、下側のねじ孔２４０を挟んで上下に並ぶように設けられている。なお、これらの突部２４１は、カバー取付片２４を構成する金属板が切り起こされてカバー取付片２４と一体に形成されている。
【００８０】
カバー３は、金属製のカバー本体３３と、合成樹脂製の透光カバー３４と、一対の固定金具３５とを有している。カバー本体３３は、長方形状の前壁３３０と、前壁３３０の四辺から後方へ突き出た四つの側壁３３１とを有している。前壁３３０と四つの側壁３３１とは、１枚の金属板から一体に形成されている。ただし、四つの側壁３３１同士は結合されていない。
【００８１】
前壁３３０は、第１孔３３２、第２孔３３３及び第３孔３３４の三つの孔を有している（図１５参照）。第１孔３３２は、前壁３３０の上下方向の中央から僅かに下方の位置に開口した丸孔である。第１孔３３２の直径は、光源ユニット４のレンズ４３の直径よりも僅かに小さい。第２孔３３３は、前壁３３０の第１孔３３２の下方の位置に開口した丸孔である。第２孔３３３の直径は、スイッチブロック７の操作ボタン７０の直径よりも僅かに大きい。第３孔３３４は、前壁３３０の第２孔３３３の左隣の位置に開口した丸孔である。第３孔３３４の直径は、第２孔３３３の直径よりも十分に小さい。
【００８２】
四つの側壁３３１のうちでカバー本体３３の短手方向（左右方向）に対向した二つの側壁３３１に二つの孔（不図示）が貫通している。
【００８３】
透光カバー３４は、長方形状の前板３４０と、前板３４０の四辺から後方へ突き出した四つの側板３４１とを有している。前板３４０と四つの側板３４１とは、アクリル樹脂のような透光性を有する合成樹脂により、後面が開放された箱状に形成されている。四つの側板３４１のうちで透光カバー３４の短手方向（左右方向）に対向した二つの側板３４１に二つの孔（不図示）が貫通している。
【００８４】
前板３４０の左右方向の中央における下部に円形の孔３４２が貫通している。この孔３４２は、前後方向においてカバー本体３３の孔２３８と重なっている。この孔３４２には操作部材３４３が取り付けられる。操作部材３４３は、シリコーンゴムのような柔軟な合成樹脂材料で形成されている。操作部材３４３は、透光カバー３４の前板３４０の孔３４２をシールしている。さらに、操作部材３４３が後方へ押されると、カバー本体３３の前壁３３０の孔２３８から突き出した操作ボタン７０が操作部材３４３に押されて押操作される。
【００８５】
透光カバー３４は、内部（前板３４０と四つの側板３４１に囲まれた空間）にカバー本体３３を収容する。カバー本体３３と透光カバー３４は、一対の固定金具３５を介して結合される。
【００８６】
固定金具３５は、第１固定片３５１と、第２固定片３５２と、第３固定片３５３とを有している（図１５参照）。第１固定片３５１は、長尺の長方形状に形成されている。第１固定片３５１には二つの孔（不図示）が設けられている。これら二つの孔は、第１固定片３５１を厚み方向に貫通した丸孔である。
【００８７】
第２固定片３５２は、長尺の長方形状に形成されている。第２固定片３５２は、第１固定片３５１の長手方向に沿った一端から第１固定片３５１の厚み方向（左右方向）に突き出ている。第２固定片３５２には二つの孔３５４が設けられている。これら二つの孔３５４は、第２固定片３５２を厚み方向に貫通した丸孔である。なお、第１固定片３５１と第２固定片３５２とは、長手方向の長さが等しい。
【００８８】
第３固定片３５３は、第１固定片３５１及び第２固定片３５２よりも長手方向の長さが短い長方形状に形成されている。第３固定片３５３は、第１固定片３５１の長手方向の中央から第１固定片３５１の厚み方向（左右方向）に突き出ている。第３固定片３５３の長手方向の中央にねじ孔３５５が設けられている。
【００８９】
固定金具３５は、透光カバー３４の短手方向に対向する二つの側板３４１に取り付けられる。具体的には、第１固定片３５１の二つの孔のそれぞれに１本ずつ差し込まれたボルト３６が、透光カバー３４の側板３４１の二つの孔、及びカバー本体３３の二つの側壁３３１の二つの孔のそれぞれに１本ずつ差し込まれる。そして、カバー本体３３の内側において、二つの側壁３３１のそれぞれの孔から突き出したボルト３６にナットが締め付けられる。これにより、透光カバー３４に一対の固定金具３５が取り付けられ、かつ、一対の固定金具３５を介してカバー本体３３と透光カバー３４が結合される。ただし、ボルト３６の頭部３６０と透光カバー３４の側板３４１の間に第２シール部材３７が挟み込まれている。第２シール部材３７は、側板３４１の孔とボルト３６の頭部３６０の隙間をシールしている。
【００９０】
カバー３は、本体２の底板２０に取り付けられている全ての部品（光源ユニット４、電源ユニット５など）をカバー本体３３の内部（前壁３３０と四つの側壁３３１に囲まれた空間）に収めるようにして本体２にかぶせられる。そして、一対の固定金具３５の第２固定片３５２が、本体２の一対のカバー取付片２４に固定される。具体的には、第２固定片３５２の二つの孔３５４のそれぞれに１本ずつ差し込まれた雄ねじ（不図示）が、カバー取付片２４の二つのねじ孔２４０のそれぞれに１本ずつねじ込まれ、第２固定片３５２とカバー取付片２４が結合されてカバー３が本体２と固定される。ここで、透光カバー３４の四つの側板３４１が本体２の第１シール部材２６に押し付けられることにより、透光カバー３４の側板３４１と本体２との隙間が第１シール部材２６でシールされる。
【００９１】
枠体８は、矩形枠状の前壁８０と、前壁８０の四つの辺から後方へ突き出した四つの側壁８１とを有している（図１２参照）。前壁８０と四つの側壁８１とは、金属材料によって一体に形成されている。前壁８０の左右両側の辺の長手方向の中央にそれぞれに孔８２が一つずつ貫通している。さらに、前壁８０の長手方向（上下方向）に沿って対向する二つの側壁８１のうちで下側の側壁８１の長手方向（左右方向）の中央に水抜き孔８３が貫通している。
【００９２】
枠体８は、前壁８０の開口部分に透光カバー３４を通し、一対の固定金具３５に前方から前壁８０をかぶせるようにして本体２及びカバー３に装着される。そして、枠体８の前壁８０を貫通している二つの孔８２のそれぞれに固定ねじ８４が１本ずつ通される。これら２本の固定ねじ８４は、一対の固定金具３５の第３固定片３５３に設けられているねじ孔３５５にそれぞれ１本ずつねじ込まれる。その結果、枠体８が一対の固定金具３５に固定される（図１１参照）。
【００９３】
実施形態３の非常用点灯装置１Ｃは、上述のように電源ユニット５を支持する支持部材（支持部材２５、支持部２０７）を備えている。支持部材（支持部材２５、支持部２０７）は、本体２（底板２０）との間で筐体５１を挟むように電源ユニット５を支持している。このため、実施形態３の非常用点灯装置１Ｃは、ねじなどの部品によって筐体５１が本体２に直接取り付けられる場合に比べて、組立て作業（電源ユニット５の筐体５１を本体２に支持させる作業）の作業性の向上を図ることができる。しかも、実施形態３の非常用点灯装置１Ｃでは、電源ユニット５の筐体５１にねじなどの取付用の部品を通す孔などが不要であるから、孔などが設けられることに伴う筐体５１の大型化なども抑制することができる。
【００９４】
また、実施形態３の非常用点灯装置１Ｃでは、第１端子台１１が支持部材２５に固定されているので、組立て作業の作業性の更なる向上を図ることができる。
【００９５】
上述のように本発明の第１の態様に係る非常用点灯装置（１Ａ；１Ｂ；１Ｃ）は、光源（光源ユニット４）と、電源ユニット（５）と、光源（光源ユニット４）及び電源ユニット（５）を収容して造営材に取り付けられる本体（２）とを備える。第１の態様に係る非常用点灯装置（１Ａ；１Ｂ；１Ｃ）は、電源ユニット（５）を支持する一つ以上の支持部材（支持板４６と支持片２０３；支持部材２３；支持部材２５と支持部２０７）を備える。電源ユニット（５）は、非常用電源（蓄電池６０）から供給される電力によって光源（光源ユニット４）を駆動する駆動回路（５０）と、駆動回路（５０）を収容する筐体（５１）とを有する。一つ以上の支持部材は、本体（２）との間で筐体（５１）を挟むように電源ユニット（５）を支持する。
【００９６】
第１の態様に係る非常用点灯装置（１）は、ねじなどの部品によって筐体（５１）が本体（２）に直接取り付けられる場合に比べて、組立て作業（電源ユニット（５）の筐体（５１）を本体（２）に支持させる作業）の作業性の向上を図ることができる。
【００９７】
本発明の第２の態様に係る非常用点灯装置（１Ａ；１Ｂ）は、第１の態様との組合せにより実現され得る。第２の態様に係る非常用点灯装置（１）において、光源（光源ユニット４）は、一つ以上の支持部材のうちの少なくとも一つの支持部材（支持板４６；支持部材２３）に固定されていることが好ましい。
【００９８】
第２の態様に係る非常用点灯装置（１Ａ；１Ｂ）は、光源を本体（２）に固定するための部材を支持部材と別に備える必要がないので、部品点数の削減による組立て作業の作業性の更なる向上を図ることができる。
【００９９】
本発明の第３の態様に係る非常用点灯装置（１Ｂ；１Ｃ）は、第１又は第２の態様との組合せにより実現され得る。第３の態様に係る非常用点灯装置（１Ｂ；１Ｃ）は、非常用電源である蓄電池（６０）と、筐体（５１）に収容されて常用電源から供給される電力で蓄電池（６０）を充電する充電回路（５６）とを更に備えることが好ましい。第３の態様に係る非常用点灯装置（１Ｂ；１Ｃ）は、常用電源から充電回路（５６）への給電路となる電源線（５２）が電気的に接続される端子台（第１端子台１１）を更に備えることが好ましい。一つ以上の支持部材のうちの少なくとも一つの支持部材（２３；２５）は、電源線（５２）及び端子台の少なくとも一方を保持することが好ましい。
【０１００】
第３の態様に係る非常用点灯装置（１Ｂ；１Ｃ）は、電源線（５２）及び端子台（第１端子台１１）の少なくとも一方を支持部材（２３；２５）に保持させることにより、組立て作業の作業性の更なる向上を図ることができる。
【０１０１】
本発明の第４の態様に係る非常用点灯装置（１Ａ）は、第１〜第３の態様のいずれか一つとの組合せにより実現され得る。第５の態様に係る非常用点灯装置（１Ａ）は、光源（光源ユニット４）と駆動回路（５０）を電気的に接続する接続部品（コネクタ４２）と、接続部品（コネクタ４２）を保護する保護部（４６４）とを更に備えることが好ましい。保護部（４６４）は、一つ以上の支持部材のうちの少なくとも一つの支持部材（支持板４６）に設けられていることが好ましい。
【０１０２】
第４の態様に係る非常用点灯装置（１Ａ）は、電線や作業者の手指が接続部品（コネクタ４２）に当たることを保護部（４６４）によって保護することができる。
【０１０３】
本発明の第５の態様に係る非常用点灯装置（１Ａ；１Ｂ；１Ｃ）は、第１〜第４の態様のいずれか一つとの組合せにより実現され得る。第５の態様に係る非常用点灯装置（１Ａ；１Ｂ；１Ｃ）において、本体（２）は、多角形状の底板（２０）と、底板（２０）の各辺から立ち上がる複数の側板（２１）とを有することが好ましい。底板（２０）は、電線が通される孔（第１電線孔２０１、第２電線孔２０２）を有することが好ましい。光源（光源ユニット４）と電源ユニット（５）と一つ以上の支持部材は、底板（２０）と対向する方向から見て、孔（第１電線孔２０１、第２電線孔２０２）と重ならないように配置されていることが好ましい。
【０１０４】
第５の態様に係る非常用点灯装置（１Ａ；１Ｂ；１Ｃ）は、本体（２）の孔（第１電線孔２０１、第２電線孔２０２）を通して外部から電線を引き込む際に光源と電源ユニット（５）と支持部材が邪魔になりにくい。そのため、第５の態様に係る非常用点灯装置（１Ａ；１Ｂ；１Ｃ）は、電線を引き込む際の作業性の向上を図ることができる。
【０１０５】
本発明の第６の態様に係る非常用点灯装置（１Ａ；１Ｃ）は、第１〜第５態様のいずれか一つとの組合せにより実現され得る。第６の態様に係る非常用点灯装置（１Ａ；１Ｃ）において、支持部材（支持板４６と支持片２０３；支持部材２５と支持部２０７）を複数備えることが好ましい。本体（２）は、多角形状の底板（２０）と、底板（２０）の各辺から立ち上がる複数の側板（２１）とを有することが好ましい。複数の支持部材のうちの少なくとも一つの支持部材（支持片２０３；支持部２０７）は、複数の側板（２１）のうちの一つの側板（２１）と一体に設けられていることが好ましい。
【０１０６】
第６の態様に係る非常用点灯装置（１Ａ；１Ｃ）は、少なくとも一つの支持部材が本体（２）と別体に設けられている場合に比べて、部品点数削減による組立て作業の作業性の更なる向上を図ることができる。
【符号の説明】
【０１０７】
１Ａ；１Ｂ；１Ｃ  非常用点灯装置
２  本体
４  光源ユニット（光源）
５  電源ユニット
１１  第１端子台（端子台）
２０  底板
２１  側板
２３  支持部材
２５  支持部材
４２  コネクタ（接続部品）
４６  支持板（支持部材）
５０  駆動回路
５１  筐体
５２  電源線
５６  充電回路
２０１  第１電線孔（孔）
２０２  第２電線孔（孔）
２０３  支持片（支持部材）
２０７  支持部（支持部材）
４６４  保護部
【図１】
2019160759.tif 000003
【図２】
2019160759.tif 000004
【図３】
2019160759.tif 000005
【図４】
2019160759.tif 000006
【図５】
2019160759.tif 000007
【図６】
2019160759.tif 000008
【図７】
2019160759.tif 000009
【図８】
2019160759.tif 000010
【図９】
2019160759.tif 000011
【図１０】
2019160759.tif 000012
【図１１】
2019160759.tif 000013
【図１２】
2019160759.tif 000014
【図１３】
2019160759.tif 000015
【図１４】
2019160759.tif 000016
【図１５】
2019160759.tif 000017